(57)【特許請求の範囲】
【請求項１】
前枠を開閉可能に支持するための上下の支持部材を備えたパチンコ機の外枠であって、
前記上部の支持部材および下部の支持部材を、外枠の構成部材である縦枠板に対して該縦枠板の同一の縦面を基準面として取り付けた構成としており、
前記基準面は縦枠板の内面であり、
前記上部の支持部材は、少なくとも前記縦枠板の内面に取り付けられる取付部と、その取付部から上横枠板の下面と前記縦枠板の上端面の間へ水平方向へ延長されて前記縦枠板の上端面に当接する荷重受け部とを有することを特徴とするパチンコ機の外枠。
【請求項２】
請求項１に記載のパチンコ機の外枠であって、
前記上部の支持部材は、更に、前記上横枠板の下面に取り付けられる横取付部を有することを特徴とするパチンコ機の外枠。
【発明の詳細な説明】
【０００１】
【発明の属する技術分野】
この発明は、パチンコ機の外枠に係り、詳しくは外枠に対して前枠を開閉可能に支持するための支持部材の取付技術に関する。
【０００２】
【従来の技術】
一般に、パチンコ機の前枠は、外枠の左側上下部に取り付けられた上下の支持部材としての支持金具によって開閉可能に支持されている。上下の支持金具は、外枠の１構成部材である左縦枠板に対してねじ等によって個々に取り付けられている。その場合、上部の支持金具は左縦枠板の外面（外枠外周面）を基準面として取り付けられ、下部の支持金具は左縦枠板の内面（外枠内周面）を基準面にして取り付けられている。このような取付構造の支持金具を有する外枠は、例えば特開平８−３３６６５３号公報に開示されている。
【０００３】
【発明が解決しようとする課題】
ところが、上記公報に見受けられるような支持金具の取付構造の場合、左縦枠板に対して上部の支持金具を外面基準で取り付け、下部の支持金具を内面基準で取り付ける構成のため、左縦枠板の板厚にばらつきがあると、上部の支持金具の回転軸心部と、下部の支持金具の回転軸心部との間において心ズレ（同一直線に対する軸心の不一致）が発生するという問題があった。
【０００４】
本発明は、上述した従来の問題点に鑑みてなされたものであり、その目的とするところは、パチンコ機の外枠に、前枠支持用の上下の支持部材を取り付けるに当たり、支持部材相互の回転軸心の心ズレを防止する上で有効な支持部材の取付技術を提供することにある。
【０００５】
【課題を解決するための手段】
上記課題を達成するため、本発明に係るパチンコ機の外枠は、特許請求の範囲の各請求項に記載の通りの構成を備えた。
請求項１に記載のパチンコ機の外枠においては、前枠支持用の上部の支持部材および下部の支持部材を、外枠の構成部材である縦枠板に対して該縦枠板の同一の縦面を基準面として取り付ける構成としている。したがって、縦枠板に上下の支持部材を取り付ける場合において、縦枠板の板厚のばらつきに起因する上下の支持部材の回転軸心の心ズレを防止することができる。これにより、上下の支持部材の取付精度が向上し、延いては前枠の組付け精度が向上する。
【０００６】
この場合において、請求項１に記載したように、基準面が縦枠板の内面であることが好ましい。一般に、パチンコ機の外枠においては、上部の支持部材を縦枠板の外面を基準面として取り付ける場合、縦枠板の外面およびその縦枠板に接合される上部の横枠板の外面に対して支持部材の取付面が面一となるように、縦枠板および横枠板に座繰り加工（支持部材の板厚に対応する段付加工）を施すことが行われている。これはパチンコホールの取付台に対する外枠の組付け性や外観見栄えを考慮して行われる。しかるに、請求項２の発明のように、縦枠板の内面を基準面として支持部材を取り付ける構成を採用したときは、上述した座繰り加工が不要となる。このため、加工上の手間が省かれることになり、コストの低減につながる。ここで、縦枠板の内面とは、外枠の内周面側をいい、縦枠板の外面とは、外枠の外周面側をいう。
請求項１に記載のパチンコ機の外枠においては、上部の支持部材は、少なくとも縦枠板の内面に取り付けられる取付部と、その取付部から上横枠板の下面と前記縦枠板の上端面の間へ水平方向へ延長されて縦枠板の上端面に当接する荷重受け部とを有している。荷重受け部を備えることで、支持部材に作用する下向き荷重（前枠およびその前枠に取り付けられる遊技盤等の重量）を荷重受け部を介して縦枠板で支持することができる。これにより、縦枠板に対して支持部材の取付部を、例えばねじを用いて固定した場合であれば、該ねじに掛かる負担重量を軽減することができ、延いては上部の支持部材の取付強度を確保することができる。
【０００７】
請求項２に記載のパチンコ機の外枠においては、上部の支持部材は、更に、上横枠板の下面に取り付けられる横取付部を有する。これにより上部の支持部材は縦枠板と上横枠板に取り付けられ、縦枠板と上横枠板を接合する。すなわち、上部の支持部材は縦枠板と上横枠板との接合部材を兼用させることができる。
【０００８】
【発明の実施の形態】
以下、本発明の実施の形態を図面に基づいて説明する。図１は本実施の形態に係るパチンコ機の外枠を示す全体正面図である。図示のように、外枠１０は、左縦枠板１２、右縦枠板１３、上横枠板１４、下横枠板１５を有し、それら各枠板１２〜１５を相互に接合することによって、縦長の方形状に形成される。また、外枠１０は下部前面側に幕板１６を有している。この幕板１６は、縦枠板１２，１３または下横枠板１５に接合される。
【０００９】
左縦枠板１２の上下部には、外枠１０の前面に配置される前枠４０（図６および図７参照）を開閉可能に支持するための上下の支持金具２０，３０が設置されている。上部の支持金具２０および下部の支持金具３０は、それぞれがいわゆる蝶番の一方の部材を構成するものである。本実施の形態では、上部の支持金具２０は、ヒンジピン孔２５（図２参照）を有しており、いわゆる蝶番の雌側部材を構成する。下部の支持金具３０は上向きに突出するヒンジピン３３を有しており、いわゆる蝶番の雄側部材を構成する。なお、上下の支持金具２０，３０は、例えば鉄板等の金属から形成されており、これが本発明でいう上下の支持部材に対応する。
【００１０】
図２は上部の支持金具２０を示している。図示のように、上部の支持金具２０は、縦（上下）方向に延在する平板の縦取付部２１と、横（水平）方向に延在する平板の横取付部２２とからなるＬ形の取付部２３を有する。両取付部２１，２２は相互に直角に交差し、それぞれが複数の取付用のねじ孔２１ａ，２２ａを有している。また、上部の支持金具２０は、横取付部２２の一端から延出された支持部２４を有し、その支持部２４にヒンジピン孔２５が形成されている。なお、支持部２４は、横取付部２２よりも一段と高い位置に設定されている。更に、上部の支持金具２０は、横取付部２２と同一平面高さで外側へ水平状に延出する二股でかつ板状の補強突片２６を有する。この補強突片２６が本発明における荷重受け部に対応している。なお、取付部２３、支持部２４および補強突片２６は一体に形成されている。
【００１１】
図３〜図５には、上記のように構成された上部の支持金具２０の取付手順が示され、また図６および図７には、上部の支持金具２０に対する前枠４０の取付状態が示されている。図３に示すように、左縦枠板１２の内面上端部に縦取付部２１が突き当てられる。その状態で、左縦枠板１２の取付孔１２ｂ（図５参照）から図示省略のねじを差し込み、縦取付部２１のねじ孔２１ａにねじ込むことによって、左縦枠板１２に縦取付部２１を締着する。このとき、支持部２４が左縦枠板１２の前面側となり、また補強突片２６が左縦枠板１２の上端面１２ｃに載置するように位置決めされる。この場合、ねじ孔２１ａに変えてナットを用いることもできる。
【００１２】
また、図４および図５に示すように、上部の支持金具２０の横取付部２２上に上横枠板１４を重ねた状態で、図示省略のねじを上横枠板１４の取付孔１４ａから差し込み、横取付部２２のねじ孔２２ａにねじ込むことによって、上横枠板１４に横取付部２２を締着する。かくして、上部の支持金具２０は、左縦枠板１２の内面１２ａを基準面として左縦枠板１２および上横枠板１４に取り付けられ、左縦枠板１２と上横枠板１４とを接合する。すなわち、上部の支持金具２０は左縦枠板１２と上横枠板１４との接合部材を兼用している。このとき、上部の支持金具２０の補強突片２６は、上横枠板１４によって上から押さえ込まれる。また、上部の支持金具２０の支持部２４は、上横枠板１４の上面よりもやや低い位置となるように定めてある。この場合、ねじ孔２２ａに変えてナットを用いることもできる。
【００１３】
図６および図７に示すように、外枠１０の前面に配置される前枠４０は、左上部に上部の支持金具２０に対応する前枠用上部金具４１を有しており、この前枠用上部金具４１が、いわゆる蝶番の雄側部材を構成している。そして、その前枠用上部金具４１に下向きに突出されたヒンジピン４２を上部の支持金具２０における支持部２４のヒンジピン孔２５に上方から差し込むことで前枠４０が開閉（回動）可能に組み付けられる。図６は前枠４０が閉じた（外枠１０の前面に重ねられた）状態を示し、図７は前枠４０が開放された状態を示している。
【００１４】
なお、下部の支持金具３０は、従来と同様の構造であり、図１に示すように、直角に交差する縦取付部と横取付部とからなるＬ形の取付部３１を有するほか、その取付部３１から前方へ水平に突出する支持部３２を有し、その支持部３２には上向きに突出するヒンジピン３３が設けられた構造である。そして、下部の支持金具３０は、左縦枠板１２の内面１２ａを基準面として、その左縦枠板１２と幕板１６に取り付けられる。そのときの、下部の支持金具３０の取り付けは、上部の支持金具２０と同様、ねじで行われる。
下部の支持金具３０に対しては、図示は省略するが前枠４０の左下部に設けられた、いわゆる蝶番の雌側部材としての前枠用下部金具が上方から重ねられ、支持金具３０のヒンジピン３３が前枠用下部金具のヒンジピン孔に差し込まれて開閉（回動）可能に組み付けられる。
【００１５】
本実施の形態に係る外枠１０においては、上述したように、前枠４０を開閉可能に支持する上部の支持金具２０と下部の支持金具３０を、それぞれ左縦枠板１２における同一の縦面である内面１２ａを基準面として取り付けている。このため、上部の支持金具２０の回動軸心であるヒンジピン孔２５の中心と、下部の支持金具３０の回動軸心であるヒンジピン３３の中心とに関して、左縦枠板１２の板厚（横幅）ｔのばらつきに起因して心ズレを起こすことが効果的に防止されることになる。
すなわち、図１に示すように、上下の支持金具２０，３０の回転軸心を同一軸線Ｐ上で一致させることが可能となり、精度が向上する。
【００１６】
また、本実施の形態では、上部の支持金具２０を枠板内面、すなわち外枠１０の内周面側に取り付ける構成のため、従来において、外枠１０の外周面側に取り付ける、いわゆる外付け方式であれば必要であった左縦枠板１２および上横枠板１４に対する座繰り加工が不要となる。外付け構造において必要とされる座繰り加工は、上部の支持金具２０を左縦枠板１２および上横枠板１４に取り付けたときの左縦枠板１２および上横枠板１４の外面に対する上部の支持金具２０の面一化を図ることによって、パチンコホールの取付台に対する外枠１０の組付け性や外観見栄えの向上を目的として行われる。
しかるに、本実施の形態の如く、内面側に取り付ける方式を採用したときは、上部の支持金具２０は、パチンコホールの取付台に対する外枠１０の組付けに関して影響せず、かつ左縦枠板１２および上横枠板１４に対する取付部分が前枠４０によって隠蔽される。これにより、組付け性を考慮してのあるいは見栄えを高めるための座繰り加工を行う必要がなくなり、結果として加工手間を省略してコストを低減できる。
【００１７】
また、上部の支持金具２０は、横取付部２２から同一平面高さで水平方向へ延長する補強突片２６を有しており、この補強突片２６を左縦枠板１２の上端面１２ｃに当接した状態で取り付けられる。補強突片２６を設けたことにより、上部の支持金具２０に掛かる下向き荷重（前枠４０およびその前枠４０に取り付けられる遊技盤等の重量）が補強突片２６を介して左縦枠板１２の上端面１２ｃで受けられることなる。これにより、上横枠板１４および左縦枠板１２に対して横取付部２２および縦取付部２１をねじを用いて固定した場合であれば、そのねじに掛かる負担重量を軽減し、延いては上部の支持金具２０の取付強度を確保することができる。
【００１８】
なお、本発明は上述した実施の形態に限定されるものではなく、その要旨を逸脱しない範囲内で適宜変更が可能である。
例えば、上述した実施の形態では、上下の支持金具２０，３０を左縦枠板１２の内面１２ａを基準面として取り付ける構成としたが、上下の支持金具２０，３０を左縦枠板１２の外面を基準面として取り付ける構成に変更することも可能である。
また、支持金具２０，３０の素材は、鉄板に限らず、アルミ合金等のその他の金属を用いることが可能であり、あるいは強度の高い硬質樹脂であれば、それを用いることも可能である。また、外枠１０の構成部材である、左右の縦枠板１２，１３および上下の横枠板１４，１５は、木製が一般的であるが、これに限らず、アルミ合金製あるいは合成樹脂製とすることも可能である。
【００１９】
【発明の効果】
以上詳述したように、本発明によれば、パチンコ機の外枠において、前枠を開閉可能に支持する支持部材を取り付けるに当たって、上下の支持部材相互の回転軸心の心ズレを防止する上で有効な取付技術を提供することができる。
【図面の簡単な説明】
【図１】本実施の形態に係るパチンコ機の外枠を示す全体正面図である。
【図２】上部の支持金具を示す斜視図である。
【図３】左縦枠板に対する上部の支持金具の取付状態を示す斜視図である。
【図４】上横枠板に対する上部の支持金具の取付状態を示す斜視図である。
【図５】上横枠板に対する上部の支持金具の取付状態を向きを変えて示す斜視図である。
【図６】上部の支持金具に対する前枠の取付状態を示す斜視図であり、前枠閉じ状態を示す。
【図７】上部の支持金具に対する前枠の取付状態を示す斜視図であり、前枠開き状態を示す。
【符号の説明】
１０…外枠
１２…左縦枠板
１２ａ…内面
２０…上部の支持金具
２３…Ｌ形の取付部
２４…支持部
２５…ヒンジピン孔
２６…補強突片（荷重受け部）
３０…下部の支持金具
３１…Ｌ形の取付部
３２…支持部
３３…ヒンジピン
４０…前枠
【図１】
0004004758.tif 000002
【図２】
0004004758.tif 000003
【図３】
0004004758.tif 000004
【図４】
0004004758.tif 000005
【図５】
0004004758.tif 000006
【図６】
0004004758.tif 000007
【図７】
0004004758.tif 000008